(57)【要約】      （修正有）【解決手段】電子アルバム台紙作成保存手段（Ｍ１）、工事写真画像データ保存手段（Ｍ２）、工事写真データベース構築保存手段（Ｍ３）、工事写真検索抽出手段（Ｍ４）、電子アルバム編集保存手段（Ｍ５）、電子アルバム出力手段（Ｍ６）、及び、制御手段（Ｍ７）を含んで構成され、電子アルバム台紙作成モード（Ｉ）、工事黒板表示物作成モード（ＩＩ）、工事写真画像データ保存モード（ＩＩＩ）、工事写真データベース構築モード（ＩＶ）、工事写真データベース検索モード（Ｖ）、アルバム編集モード（ＶＩ）、工事写真貼付忘れ確認モード（ＶＩＩ）、及び、電子アルバム出力モード（ＶＩＩＩ）を切り替えて、電子アルバムを、電子媒体及び／又は紙媒体に、出力することを特徴とする工事写真電子アルバム作成システム。【効果】建築現場に関する大量の工事写真を確実かつ簡単に撮影・管理・編集・保存出来るように支援することができる。【選択図】図１
2011065321.tif 000002
【特許請求の範囲】
【請求項１】
電子アルバム台紙作成保存手段（Ｍ１）、即ち、電子原型台紙（ＭＰ０）を生成し、生成した電子台紙（ＭＰ０）上に、工事写真画像データ（Ｐ）を電子的に貼付するための自然数ｎ個の貼付箇所（Ｑ）を設けると共に、自然数ｍ番目（１≦ｍ≦ｎ）の貼付箇所（Ｑｍ）に、自然数ｍ番目（１≦ｍ≦ｎ）の少なくとも一種類の施工識別データ（ＣＤｍ）を記録した貼付箇所識別インデックス（ＱＸｍ）を付与し、その後電子台紙（ＭＰ）を保存する手段、
工事写真画像データ保存手段（Ｍ２）、即ち、デジタルカメラから取り込んだ施工箇所を撮影対象として撮影した自然数ｎ’個（１≦ｍ≦ｎ≦ｎ’）の工事写真画像データ（Ｐ）について、撮影順の自然数ｍ’番目（１≦ｍ’≦ｎ’）の工事写真画像データ（Ｐｍ’）につき、少なくとも一種類の写真識別データ（ＰＤｍ’）を記録した写真識別インデックス（ＰＸｍ’）を付与して保存する手段、
工事写真データベース構築保存手段（Ｍ３）、即ち、工事写真画像データ保存手段により保存した複数の工事写真画像データ（Ｐ）から工事写真データベース（ＤＢ１）を構築保存する手段、
工事写真検索抽出手段（Ｍ４）、即ち、写真識別インデックス（ＰＸ）と貼付箇所識別インデックス（ＱＸ）を参照して、自然数ｍ番目（１≦ｍ≦ｎ）の貼付箇所識別インデックス（ＱＸｍ）に基づき、自然数ｍ番目（１≦ｍ≦ｎ）の貼付箇所（Ｑｍ）に貼付すべき工事写真画像データ（Ｐｍ）を、工事写真データベース（ＤＢ１）から検索して、
工事写真画像データ（Ｐｍ）が存在する場合には、
工事写真画像データ（Ｐｍ）を抽出し、
工事写真画像データ（Ｐｍ）が存在しない場合には、
工事写真画像データ（Ｐｍ）が存在しない旨のメッセージを表示する手段、
電子アルバム編集保存手段（Ｍ５）、即ち、工事写真検索抽出手段により検索抽出した自然数ｍ番目（１≦ｍ≦ｎ）の貼付箇所（Ｑｍ）に貼付すべき工事写真画像データ（Ｐｍ）を、自然数ｍ番目（１≦ｍ≦ｎ）の貼付箇所（Ｑｍ）に貼付することにより電子アルバム（Ｅ）を編集保存する手段、
電子アルバム出力手段（Ｍ６）、即ち、電子アルバム検索抽出手段により検索抽出した電子アルバムを、電子媒体及び／又は紙媒体に、出力する手段、及び、
制御手段（Ｍ７）、即ち、入力のためのキーボード（ＫＢ）及びポインター（ＰＴ）、並びに、表示のためのディスプレー（ＤＰ）を備え、キーボード（ＫＢ）からの入力に基づき、電子アルバム台紙作成モード（Ｉ）、工事写真画像データ保存モード（ＩＩ）、工事写真データベース構築モード（ＩＩＩ）、工事写真データベース検索モード（ＩＶ）、アルバム編集モード（Ｖ）、及び、電子アルバム出力モード（ＶＩ）に切り替えて、
電子アルバム台紙作成保存手段（１）、工事写真画像データ生成保存手段（２）、工事写真データベース構築保存手段（３）、工事写真検索抽出手段（４）、電子アルバム編集保存手段（５）、及び、電子アルバム出力手段（６）の実行を制御する手段
を含んで構成され、
電子アルバム台紙作成モード（Ｉ）においては、
キーボード（ＫＢ）とポインター（ＰＴ）を操作することにより、電子アルバム台紙作成保存手段（Ｍ１）を実行して、
電子原型台紙生成ステップ（Ｓ１０１）において、アルバムの雛形を選択することにより電子原型台紙（ＭＰ０）を生成し、
電子台紙生成ステップ（Ｓ１０２）において、撮影編集確認リスト（Ｌ）に記載されている施工データ（Ｄ１）に基づき、電子原型台紙（ＭＰ０）上に、工事写真画像データ（Ｐ）を電子的に貼付するための自然数ｎ個の貼付箇所（Ｑ）を設け、自然数ｍ番目（１≦ｍ≦ｎ）の貼付箇所（Ｑｍ）に、自然数ｍ番目（１≦ｍ≦ｎ）の少なくとも一種類の施工識別データ（ＣＤｍ）を記録した貼付箇所識別インデックス（ＱＸｍ）を付与し、その後電子台紙（ＭＰ）を保存し、
撮影編集確認リスト作成ステップ（Ｓ１０３）において、工種、撮影日時、及び、撮影箇所を含んでなる施工データ（Ｄ１）を入力して撮影編集確認リスト（Ｌ）を作成し、
工事黒板表示物作成モード（ＩＩ）においては、
工事黒板表示物作成ステップ（Ｓ２０１）において、撮影編集確認リスト（Ｌ）に記載されている施工データ（Ｄ１）に基づき、自然数ｍ番目（１≦ｍ≦ｎ）の貼付箇所（Ｑｍ）に貼付すべき写真の撮影箇所において写し込むべき工事黒板表示物を作成し、
工事写真画像データ保存モード（ＩＩＩ）においては、
キーボード（ＫＢ）とポインター（ＰＴ）を操作することにより、工事写真画像データ保存手段（Ｍ２）を実行して、
写真データ取り込みステップ（Ｓ３０１）において、デジタルカメラから施工箇所を撮影対象として撮影した工事写真画像データ（Ｐ）を取り込み、
写真識別データ入力ステップ（Ｓ３０２）において、撮影順の自然数ｍ’番目の工事写真画像データ（Ｐｍ’）につき、少なくとも一種類の写真識別データ（ＰＤｍ’）を入力するステップ、
写真識別インデックス付与ステップ（Ｓ３０３）において、撮影順の自然数ｍ’番目の工事写真画像データ（Ｐｍ’）につき、少なくとも一種類の写真識別データ（ＰＤｍ’）を記録した写真識別インデックス（ＰＸｍ’）を付与した工事写真画像データ（Ｐ’）を保存し、
工事写真データベース構築モード（ＩＶ）においては、
キーボード（ＫＢ）とポインター（ＰＴ）を操作することにより、工事写真データベース構築保存手段（Ｍ３）を実行して、
写真データ取り込みステップ（Ｓ４０１）において、少なくとも一種類の写真識別データ（ＰＤｍ’）を記録した写真識別インデックス（ＰＸｍ’）を付与した工事写真画像データ（Ｐ’）を取り込み、
データベース構築ステップ（Ｓ４０２）において、施工識別データ（ＣＤｍ）に基づいて対応する工事写真画像データ（Ｐｍ）を検索することができ、写真識別データ（ＰＤｍ’）に基づいて、対応する工事写真画像データ（Ｐｍ’）を検索することができるデータベースを構築し、
工事写真データベース検索モード（Ｖ）においては、
キーボード（ＫＢ）とポインター（ＰＴ）を操作することにより、工事写真検索抽出手段（Ｍ４）を実行して、
検索ステップ（Ｓ５０１）において、施工識別データ（ＣＤｍ）に基づいて対応する工事写真画像データ（Ｐｍ）を検索して、
工事写真画像データ（Ｐｍ）が存在する場合には、
工事写真画像データ（Ｐｍ）を抽出し、
工事写真画像データ（Ｐｍ）が存在しない場合には、
工事写真画像データ（Ｐｍ）が存在しない旨のメッセージを表示し、
検索ステップ（Ｓ５０２）において、写真識別データ（ＰＤｍ’）に基づいて、対応する工事写真画像データ（Ｐｍ’）を検索し、
工事写真画像データ（Ｐｍ’）が存在する場合には、
工事写真画像データ（Ｐｍ’）を抽出し、
工事写真画像データ（Ｐｍ’）が存在しない場合には、
工事写真画像データ（Ｐｍ’）が存在しない旨のメッセージを表示し、
アルバム編集モード（ＶＩ）においては、
キーボード（ＫＢ）とポインター（ＰＴ）を操作することにより、電子アルバム編集保存手段（Ｍ５）を実行して、
検索ステップ（Ｓ６０１）において、施工識別データ（ＣＤｍ）に基づいて対応する工事写真画像データ（Ｐｍ）を検索し、
転送ステップ（Ｓ６０２）において、施工識別データ（ＣＤｍ）に対応する工事写真画像データ（Ｐｍ）を、電子原型台紙（ＭＰ０）上に設けてある対応する貼付箇所（Ｑｍ）に転送して貼付し、
編集ステップ（Ｓ６０３）において、電子原型台紙（ＭＰ０）上に設けてある貼付箇所（Ｑｍ）に貼付してある工事写真画像データを削除し、及び／又は、任意の工事写真画像データを貼付し、
保存ステップ（Ｓ６０４）において、施工識別データ（ＣＤｍ）に対応する工事写真画像データ（Ｐｍ）を対応する貼付箇所（Ｑｍ）に貼付した電子アルバム（Ｅ）を保存し、
工事写真貼付忘れ確認モード（ＶＩＩ）においては、
貼付確認ステップ（Ｓ７０１）において、全ての貼付箇所（Ｑｍ）について、貼付すべき施工識別データ（ＣＤｍ）に対応する工事写真画像データ（Ｐｍ）が、貼付箇所（Ｑｍ）に貼付されているか否かを確認し、
通知ステップ（Ｓ７０２）において、貼付箇所（Ｑｍ）に貼付すべき施工識別データ（ＣＤｍ）に対応する工事写真画像データ（Ｐｍ）が、貼付箇所（Ｑｍ）に貼付されていない場合には、貼付されていない貼付箇所（ｑｍ）をディスプレー（ＤＰ）に表示し、
電子アルバム出力モード（ＶＩＩＩ）においては、
電子アルバムを、電子媒体及び／又は紙媒体に、出力する
ことを特徴とする
工事写真電子アルバム作成システム。
【発明の詳細な説明】
【技術分野】
【０００１】
本発明は、建設現場で撮影された工事着手前、工事途中、工事完成時における工事写真に基づいて工事写真アルバムを作成するための工事写真電子アルバム作成システムに関する。
【背景技術】
【０００２】
従来、工事写真アルバムを作成するに際して、建設現場において、アルバム作成担当者等がコンクリート工事や鉄筋工事、鉄骨工事、又は、計測工事等の各種工事の着手前や工事途中、又は、工事完成後等の工事写真をディジタルカメラにより撮影する。
撮影した各工種の工事写真を、画像データとして、工事写真アルバム作成用のアプリケーションで動作されるパソコンに取り込み、その内部記憶装置に格納する。
然る後、担当者等はパソコンを操作することにより、内部記憶装置から画像データを撮影駒ごとに読み出して、表示部に順次表示するとともに工事写真を分類整理する。
分類整理した工事写真の中から、アルバム作成に必要な工事写真を随時選択する。
その後、選択した工事写真ごとに、工事写真と共に表示部に表示された書き込み表示欄に、工事の種別、撮影場所、撮影年月日、写真タイトル等の写真説明情報を、工事写真ごとに設けられたメモに基づいて、キーボード等の入力部を操作することにより書き込む。
このように写真説明情報の書き込まれた工事写真は、アルバム用の工事写真データとしてパソコンの内部記憶装置に格納され保存される。
【０００３】
特開２００４−０９４６０５号公報には、工事写真アルバム作成方法及びシステム並びに工事写真アルバム作成用プログラムに関する技術が開示されている。
この技術は、建設現場におけるアルバム作成担当者等のアルバム作成に関わる負担をなくし、工事写真アルバムの作成に要する時間及びアルバムの作成コストを低減するものである。
この技術は、ディジタルカメラを用いて、建設現場で施工されるコンクリート工事や計測工事などの各種工事の工事箇所を、その説明用黒板と共に写真撮影し、この撮影された説明用黒板を含む工事写真データを作業所端末からセンターサーバに伝送し、サーバ、又は、サーバが依頼した入力依頼端末で工事写真の分類整理、及び、この工事写真に対する写真説明用情報の入力作業を、表示部に拡大表示された説明用黒板の記載内容を見ながら実行する構成に基づく技術である。
【先行技術文献】
【特許文献】
【０００４】
【特許文献１】特開２００４−０９４６０５号公報
【発明の概要】
【発明が解決しようとする課題】
【０００５】
本発明が解決しようとする課題は、建築現場の大量にある工事写真を確実かつ簡単に撮影・管理・編集・保存出来るように支援するための工事写真電子アルバム作成システムを提供することである。
【０００６】
しかし、上記のような従来の工事写真アルバム作成方式では、アルバム作成担当者等がディジタルカメラで撮影した工事写真の画像データを、工事写真アルバム作成用のアプリケーションで動作されるパソコンに取り込むと共に、各工事写真を撮影駒ごとに表示部に表示して分類整理し、この分類整理された工事写真１枚１枚に対して写真説明情報をいちいち入力する必要がある。
このため、アルバム作成担当者等のアルバム作成作業が繁雑になるとともにアルバム作成担当者等にかかる負担も増大し、工事写真アルバムの作成に多くの時間を要するほか、アルバムの作成コストも上昇するという問題がある。
【０００７】
建設現場のパソコンを工事写真のアルバム作成可能に立ち上げるには、専用の工事写真アルバム作成用プログラムをインストールする必要があるほか、アルバム作成担当者等がアルバム作成の操作手順などを学習する必要があり、これに伴い、建設現場での工事写真アルバムの作成作業を更に複雑かつ煩雑にしてしまうという問題あった。
また、工事写真の撮影状況や編集状況を確認するためには担当者やアルバム作成担当者が実際の工事写真の画像データや編集されたアルバム作成したものとは別の環境で管理し整合性の上で信頼性に欠け、統一性もないものであった。
【０００８】
本発明は、上述のような従来の問題を解決するためになされたもので、建設現場で撮影された工事写真を整理し、アルバムとして作成するサービスをローカルエリアネットワーク上にあるネットワーク接続ストレージを利用して行うことにより、建設現場におけるアルバム作成担当者等のアルバム作成に関わる負担をなくし、工事写真アルバムの作成管理に要する時間及びアルバムの作成コストを低減できるようにし、信頼性の高い統一性のある管理をできるようにした工事写真電子アルバム作成システムを提供することを目的とする。
【発明の効果】
【０００９】
本発明の効果の一つは、建築現場に関する大量の工事写真を確実かつ簡単に撮影・管理・編集・保存出来るように支援するための工事写真電子アルバム作成システムを提供することができることである。
【００１０】
本発明の効果の一つは、建設現場で撮影された工事写真を整理し、アルバムとして作成するサービスをローカルエリアネットワーク上にあるネットワーク接続ストレージを利用して行うことにより、建設現場におけるアルバム作成担当者等のアルバム作成に関わる負担をなくし、工事写真アルバムの作成管理に要する時間及びアルバムの作成コストを低減できるようにし、信頼性の高い統一性のある管理をできるようにした工事写真電子アルバム作成システムを提供することができることである。
【００１１】
本発明の効果の一つは、建設現場のアルバム作成担当者等はディジタルカメラを用いて工事の写真を撮影し、この撮影された工事写真データを作業所端末から管理統括用センターのサーバに伝送し、サーバ側及び／またはサーバが依頼した入力依頼端末で工事写真の分類整理及びこの工事写真に対する写真説明用の情報入力作業を、表示部に拡大表示された説明用黒板の記載内容を見ながら実行するようにしたので、建設現場におけるアルバム作成担当者等のアルバム作成に関わる負担がなくなり、工事写真アルバムの作成に要する時間及びアルバムの作成コストを大幅に低減することができることである。
【課題を解決するための手段】
【００１２】
本出願に係る発明は、「特許請求の範囲」の「請求項１」に記載した事項により特定される。
【００１３】
［特許請求の範囲］
［請求項１］  電子アルバム台紙作成保存手段（Ｍ１）、即ち、電子原型台紙（ＭＰ０）を生成し、生成した電子台紙（ＭＰ０）上に、工事写真画像データ（Ｐ）を電子的に貼付するための自然数ｎ個の貼付箇所（Ｑ）を設けると共に、自然数ｍ番目（１≦ｍ≦ｎ）の貼付箇所（Ｑｍ）に、自然数ｍ番目（１≦ｍ≦ｎ）の少なくとも一種類の施工識別データ（ＣＤｍ）を記録した貼付箇所識別インデックス（ＱＸｍ）を付与し、その後電子台紙（ＭＰ）を保存する手段、
工事写真画像データ保存手段（Ｍ２）、即ち、デジタルカメラから取り込んだ施工箇所を撮影対象として撮影した自然数ｎ’個（１≦ｍ≦ｎ≦ｎ’）の工事写真画像データ（Ｐ）について、撮影順の自然数ｍ’番目（１≦ｍ’≦ｎ’）の工事写真画像データ（Ｐｍ’）につき、少なくとも一種類の写真識別データ（ＰＤｍ’）を記録した写真識別インデックス（ＰＸｍ’）を付与して保存する手段、
工事写真データベース構築保存手段（Ｍ３）、即ち、工事写真画像データ保存手段により保存した複数の工事写真画像データ（Ｐ）から工事写真データベース（ＤＢ１）を構築保存する手段、
工事写真検索抽出手段（Ｍ４）、即ち、写真識別インデックス（ＰＸ）と貼付箇所識別インデックス（ＱＸ）を参照して、自然数ｍ番目（１≦ｍ≦ｎ）の貼付箇所識別インデックス（ＱＸｍ）に基づき、自然数ｍ番目（１≦ｍ≦ｎ）の貼付箇所（Ｑｍ）に貼付すべき工事写真画像データ（Ｐｍ）を、工事写真データベース（ＤＢ１）から検索して、
工事写真画像データ（Ｐｍ）が存在する場合には、
工事写真画像データ（Ｐｍ）を抽出し、
工事写真画像データ（Ｐｍ）が存在しない場合には、
工事写真画像データ（Ｐｍ）が存在しない旨のメッセージを表示する手段、
電子アルバム編集保存手段（Ｍ５）、即ち、工事写真検索抽出手段により検索抽出した自然数ｍ番目（１≦ｍ≦ｎ）の貼付箇所（Ｑｍ）に貼付すべき工事写真画像データ（Ｐｍ）を、自然数ｍ番目（１≦ｍ≦ｎ）の貼付箇所（Ｑｍ）に貼付することにより電子アルバム（Ｅ）を編集保存する手段、
電子アルバム出力手段（Ｍ６）、即ち、電子アルバム検索抽出手段により検索抽出した電子アルバムを、電子媒体及び／又は紙媒体に、出力する手段、及び、
制御手段（Ｍ７）、即ち、入力のためのキーボード（ＫＢ）及びポインター（ＰＴ）、並びに、表示のためのディスプレー（ＤＰ）を備え、キーボード（ＫＢ）からの入力に基づき、電子アルバム台紙作成モード（Ｉ）、工事写真画像データ保存モード（ＩＩ）、工事写真データベース構築モード（ＩＩＩ）、工事写真データベース検索モード（ＩＶ）、アルバム編集モード（Ｖ）、及び、電子アルバム出力モード（ＶＩ）に切り替えて、
電子アルバム台紙作成保存手段（１）、工事写真画像データ生成保存手段（２）、工事写真データベース構築保存手段（３）、工事写真検索抽出手段（４）、電子アルバム編集保存手段（５）、及び、電子アルバム出力手段（６）の実行を制御する手段
を含んで構成され、
電子アルバム台紙作成モード（Ｉ）においては、
キーボード（ＫＢ）とポインター（ＰＴ）を操作することにより、電子アルバム台紙作成保存手段（Ｍ１）を実行して、
電子原型台紙生成ステップ（Ｓ１０１）において、アルバムの雛形を選択することにより電子原型台紙（ＭＰ０）を生成し、
電子台紙生成ステップ（Ｓ１０２）において、撮影編集確認リスト（Ｌ）に記載されている施工データ（Ｄ１）に基づき、電子原型台紙（ＭＰ０）上に、工事写真画像データ（Ｐ）を電子的に貼付するための自然数ｎ個の貼付箇所（Ｑ）を設け、自然数ｍ番目（１≦ｍ≦ｎ）の貼付箇所（Ｑｍ）に、自然数ｍ番目（１≦ｍ≦ｎ）の少なくとも一種類の施工識別データ（ＣＤｍ）を記録した貼付箇所識別インデックス（ＱＸｍ）を付与し、その後電子台紙（ＭＰ）を保存し、
撮影編集確認リスト作成ステップ（Ｓ１０３）において、工種、撮影日時、及び、撮影箇所を含んでなる施工データ（Ｄ１）を入力して撮影編集確認リスト（Ｌ）を作成し、
工事黒板表示物作成モード（ＩＩ）においては、
工事黒板表示物作成ステップ（Ｓ２０１）において、撮影編集確認リスト（Ｌ）に記載されている施工データ（Ｄ１）に基づき、自然数ｍ番目（１≦ｍ≦ｎ）の貼付箇所（Ｑｍ）に貼付すべき写真の撮影箇所において写し込むべき工事黒板表示物を作成し、
工事写真画像データ保存モード（ＩＩＩ）においては、
キーボード（ＫＢ）とポインター（ＰＴ）を操作することにより、工事写真画像データ保存手段（Ｍ２）を実行して、
写真データ取り込みステップ（Ｓ３０１）において、デジタルカメラから施工箇所を撮影対象として撮影した工事写真画像データ（Ｐ）を取り込み、
写真識別データ入力ステップ（Ｓ３０２）において、撮影順の自然数ｍ’番目の工事写真画像データ（Ｐｍ’）につき、少なくとも一種類の写真識別データ（ＰＤｍ’）を入力するステップ、
写真識別インデックス付与ステップ（Ｓ３０３）において、撮影順の自然数ｍ’番目の工事写真画像データ（Ｐｍ’）につき、少なくとも一種類の写真識別データ（ＰＤｍ’）を記録した写真識別インデックス（ＰＸｍ’）を付与した工事写真画像データ（Ｐ’）を保存し、
工事写真データベース構築モード（ＩＶ）においては、
キーボード（ＫＢ）とポインター（ＰＴ）を操作することにより、工事写真データベース構築保存手段（Ｍ３）を実行して、
写真データ取り込みステップ（Ｓ４０１）において、少なくとも一種類の写真識別データ（ＰＤｍ’）を記録した写真識別インデックス（ＰＸｍ’）を付与した工事写真画像データ（Ｐ’）を取り込み、
データベース構築ステップ（Ｓ４０２）において、施工識別データ（ＣＤｍ）に基づいて対応する工事写真画像データ（Ｐｍ）を検索することができ、写真識別データ（ＰＤｍ’）に基づいて、対応する工事写真画像データ（Ｐｍ’）を検索することができるデータベースを構築し、
工事写真データベース検索モード（Ｖ）においては、
キーボード（ＫＢ）とポインター（ＰＴ）を操作することにより、工事写真検索抽出手段（Ｍ４）を実行して、
検索ステップ（Ｓ５０１）において、施工識別データ（ＣＤｍ）に基づいて対応する工事写真画像データ（Ｐｍ）を検索して、
工事写真画像データ（Ｐｍ）が存在する場合には、
工事写真画像データ（Ｐｍ）を抽出し、
工事写真画像データ（Ｐｍ）が存在しない場合には、
工事写真画像データ（Ｐｍ）が存在しない旨のメッセージを表示し、
検索ステップ（Ｓ５０２）において、写真識別データ（ＰＤｍ’）に基づいて、対応する工事写真画像データ（Ｐｍ’）を検索し、
工事写真画像データ（Ｐｍ’）が存在する場合には、
工事写真画像データ（Ｐｍ’）を抽出し、
工事写真画像データ（Ｐｍ’）が存在しない場合には、
工事写真画像データ（Ｐｍ’）が存在しない旨のメッセージを表示し、
アルバム編集モード（ＶＩ）においては、
キーボード（ＫＢ）とポインター（ＰＴ）を操作することにより、電子アルバム編集保存手段（Ｍ５）を実行して、
検索ステップ（Ｓ６０１）において、施工識別データ（ＣＤｍ）に基づいて対応する工事写真画像データ（Ｐｍ）を検索し、
転送ステップ（Ｓ６０２）において、施工識別データ（ＣＤｍ）に対応する工事写真画像データ（Ｐｍ）を、電子原型台紙（ＭＰ０）上に設けてある対応する貼付箇所（Ｑｍ）に転送して貼付し、
編集ステップ（Ｓ６０３）において、電子原型台紙（ＭＰ０）上に設けてある貼付箇所（Ｑｍ）に貼付してある工事写真画像データを削除し、及び／又は、任意の工事写真画像データを貼付し、
保存ステップ（Ｓ６０４）において、施工識別データ（ＣＤｍ）に対応する工事写真画像データ（Ｐｍ）を対応する貼付箇所（Ｑｍ）に貼付した電子アルバム（Ｅ）を保存し、
工事写真貼付忘れ確認モード（ＶＩＩ）においては、
貼付確認ステップ（Ｓ７０１）において、全ての貼付箇所（Ｑｍ）について、貼付すべき施工識別データ（ＣＤｍ）に対応する工事写真画像データ（Ｐｍ）が、貼付箇所（Ｑｍ）に貼付されているか否かを確認し、
通知ステップ（Ｓ７０２）において、貼付箇所（Ｑｍ）に貼付すべき施工識別データ（ＣＤｍ）に対応する工事写真画像データ（Ｐｍ）が、貼付箇所（Ｑｍ）に貼付されていない場合には、貼付されていない貼付箇所（ｑｍ）をディスプレー（ＤＰ）に表示し、
電子アルバム出力モード（ＶＩＩＩ）においては、
電子アルバムを、電子媒体及び／又は紙媒体に、出力する
ことを特徴とする
工事写真電子アルバム作成システム。
【発明を実施するための形態】
【００１４】
本発明の工事写真電子アルバム作成システムは図１に示すようなの６つの手段を行うことで工事写真画像データをデータベース化し保存、編集、出力を支援する。
【００１５】
本発明は図２に示すような電子アルバム台紙作成モード（Ｉ）と、工事黒板表示物作成モード（ＩＩ）と、工事写真画像データ保存モード（ＩＩＩ）と、工事写真データベース構築モード（ＩＶ）と、工事写真データベース検索モード（Ｖ）と、アルバム編集モード（ＶI）と、工事写真貼付忘れ確認モード（ＶＩＩ）と、電子アルバム出力モード（ＶＩＩＩ）と、一つの制御手段（Ｍ７）を含んで成る。
【００１６】
制御手段（Ｍ７）は、図２に示すように、制御ステップ（Ｓ０００）から成っており、制御ステップ（Ｓ０００）は小ステップ（Ｓ０００−０１）と、（Ｓ０００−０２）を含んで成る。
【００１７】
電子アルバム台紙作成モード（Ｉ）は、図２に示すとおり、電子原型台紙生成ステップ（Ｓ１０１）と、電子台紙生成ステップ（Ｓ１０２）と撮影編集確認ステップ（Ｓ１０３）を含んで成っており、電子原型台紙生成ステップ（Ｓ１０１）は、小ステップ（Ｓ１０１−０１）と、（Ｓ１０１−０２）と、（Ｓ１０１−０３）と、（Ｓ１０１−０４）と、（Ｓ１０１−０４）と、（Ｓ１０１−０５）と、（Ｓ１０１−０６）を含んで成り、電子台紙生成ステップ（Ｓ１０２）とは小ステップ（Ｓ１０２−０１）と、（Ｓ１０２−０２）と、（Ｓ１０２−０３）と、（Ｓ１０２−０４）と、（Ｓ１０２−０５）を含んで成る。
【００１８】
工事黒板表示物作成モード（ＩＩ）は、図２に示すように、工事黒板表示物作成ステップ（Ｓ２０１）を含んで成り、工事黒板表示物作成ステップ（Ｓ２０１）は、小ステップ（Ｓ２０１−０１）と、（Ｓ２０１−０２）と、（Ｓ２０１−０３）と、（Ｓ２０１−０４）を含んで成る。
【００１９】
工事写真画像データ保存モード（ＩＩＩ）は、図２に示すように、写真データ取り込みステップ（Ｓ３０１）と、写真識別データ入力ステップ（Ｓ３０２）と、写真識別インデックス付与ステップ（Ｓ３０３）を含んで成る。
【００２０】
工事写真データベース構築モード（ＩＶ）は、図２に示すように、写真データ取り込みステップ（Ｓ４０１）と、データベース構築ステップを含んで成っており、写真データ取り込みステップ（Ｓ４０１）は、小ステップ（Ｓ４０１−０１）と、（Ｓ４０１−０２）と、（Ｓ４０１−０３）と、（Ｓ４０１−０４）を含んで成り、データベース構築ステップは、小ステップ（Ｓ４０２−０１）と、（Ｓ４０２−０２）と、（Ｓ４０２−０３）と、（Ｓ４０２−０４）と、（Ｓ４０２−０５を含んで成る。
【００２１】
工事写真データベース検索モード（Ｖ）は、図２に示すように、施工識別検索ステップ（Ｓ５０１）と、写真識別検索ステップ（Ｓ５０２）を含んで成っており、施工識別検索ステップ（Ｓ５０１）は、小ステップ（Ｓ５０１−０１）と、（Ｓ５０１−０２）と、（Ｓ５０１−０３）と、（Ｓ５０１−０４）と、（Ｓ５０１−０５）を含んで成り、写真識別検索ステップ（Ｓ５０２）は、小ステップ（Ｓ５０２−０１）と、（Ｓ５０２−０２）と、（Ｓ５０２−０３）と、（Ｓ５０２−０４）と、（Ｓ５０２−０５）と、（Ｓ５０２−０６）と、（Ｓ５０２−０７）と、（Ｓ５０２−０８）を含んで成る。
【００２２】
アルバム編集モード（ＶI）は、検索ステップ（Ｓ６０１）と、転送ステップ（Ｓ６０２）と、編集ステップ（Ｓ６０３）と、保存ステップ（Ｓ６０４）を含んで成り、検索ステップ（Ｓ６０１）は、小ステップ（Ｓ６０１−０１）と、（Ｓ６０１−０２）と、（Ｓ６０１−３）を含んで成り、転送ステップ（Ｓ６０２）は、小ステップ（Ｓ６０２−０１）と、（Ｓ６０２−０２）と、（Ｓ６０２−０３）と、（Ｓ６０２−０４）と、（Ｓ６０２−０５）と、（Ｓ６０２−０６）を含んで成り、編集ステップ（Ｓ６０３）は、小ステップ（Ｓ６０３−０１）と、（Ｓ６０３−０２）と、（Ｓ６０３−０３）を含んで成り、保存ステップ（Ｓ６０４）は、小ステップ（Ｓ６０４−０１）と、（Ｓ６０４−０２）を含んで成る。
【００２３】
工事写真貼付忘れ確認モード（ＶＩＩ）は、図２に示すように、貼付確認ステップ（Ｓ７０１）と通知ステップ（Ｓ７０２）を含んで成り、貼付確認ステップ（Ｓ７０１）は、小ステップ（Ｓ７０１−０１）と、（Ｓ７０１−０２）と、（Ｓ７０１−０３）と、（Ｓ７０１−０４）と、（Ｓ７０１−０５）と、（Ｓ７０１−０６）と、（Ｓ７０１−０７）を含んで成り、通知ステップ（Ｓ７０２）は、小ステップ（Ｓ７０２−０１）と、（Ｓ７０２−０２）と、（Ｓ７０２−０３）と、（Ｓ７０２−０４）と、（Ｓ７０２−０５）と、（Ｓ７０２−０６）と、（Ｓ７０２−０７）を含んで成る。
【００２４】
電子アルバム出力モード（ＶＩＩＩ）は、出力範囲選択ステップ（Ｓ８０１）と、出力範囲出力ステップ（Ｓ８０２）を含んで成り、出力範囲選択ステップは、小ステップ（Ｓ８０１−０１）と、（Ｓ８０１−０２）と、（Ｓ８０１−０３）と、（Ｓ８０１−０４）と、（Ｓ８０１−０５）と、（Ｓ８０１−０６）と、（Ｓ８０１−０７）と、（８０１−０８）を含んで成り、出力範囲出力ステップ（Ｓ８０２）は、小ステップ（Ｓ８０２−０１）と、（Ｓ８０２−０２）と、（Ｓ８０２−０３）と、（Ｓ８０２−０４）と、（Ｓ８０２−０５）を含んで成る。
【００２５】
工事写真画像データ保存モード（ＩＩＩ）を除く、全てのモードは制御手段（Ｍ７）を起動し、そのステップ制御ステップ（Ｓ０００）を経由して実行する。
【００２６】
［電子アルバム台紙作成モード（Ｉ）］
【００２７】
電子アルバム台紙作成モード（Ｉ）は、図２に示すとおり、電子原型台紙生成ステップ（Ｓ１０１）と、電子台紙生成ステップ（Ｓ１０２）と撮影編集確認ステップ（Ｓ１０３）を含んで成っており、電子原型台紙生成ステップ（Ｓ１０１）は、小ステップ（Ｓ１０１−０１）と、（Ｓ１０１−０２）と、（Ｓ１０１−０３）と、（Ｓ１０１−０４）と、（Ｓ１０１−０４）と、（Ｓ１０１−０５）と、（Ｓ１０１−０６）を含んで成り、電子台紙生成ステップ（Ｓ１０２）とは小ステップ（Ｓ１０２−０１）と、（Ｓ１０２−０２）と、（Ｓ１０２−０３）と、（Ｓ１０２−０４）と、（Ｓ１０２−０５）を含んで成る。
【００２８】
工事写真画像データ保存モード（ＩＩＩ）を除く、全てのモードは制御手段（Ｍ７）を起動し、そのステップ制御ステップ（Ｓ０００）を経由して実行する。
【００２９】
電子アルバム台紙作成モード（Ｉ）を実行するために前記した制御ステップ（Ｓ０００）を実行し、（Ｓ０００−０２）にて電子アルバム台紙作成モード（Ｉ）を選択入力する。
【００３０】
前記、（Ｓ０００−０２）から選択入力されると、先ず、図３に示すように、電子原型台紙生成ステップ（Ｓ１０１）の（Ｓ１０１−０１）が実行され設定入力画面が表示される。
【００３１】
（Ｓ１０１−０１）にて表示された設定入力画面に（Ｓ１０１−０２）プロジェクト名（建築現場名称）と、建築物名称と、その建築物の階数数値の入力を行う。
【００３２】
（Ｓ１０１−０２）を行った後に、（Ｓ１０１−０３）を実行する。（Ｓ１０１−０３）で「Ｎｏ」は、終了釦を押したときであり、作業を終了する。（Ｓ１０１−０３）で、「Ｙｅｓ」とは詳細設定を入力したい場所を指定することが出来る入力画面釦である。
【００３３】
（Ｓ１０１−０３）にて「Ｙｅｓ」に進むと（Ｓ１０１−０２）で入力された名称テキストと階数数値をデータとして取り込み、（Ｓ１０１−０４）が実行され、建築物詳細設定入力画面が表示され、（Ｓ１０１−０２）のデータ化された名称テキストや階数数値を指定した場所に代入表記される。
【００３４】
（Ｓ１０１−０４）で表示された建築物詳細設定入力画面で入力リスト釦を押す（Ｓ１０１−０５）を行う。
【００３５】
（Ｓ１０１−０５）を行うと、（Ｓ１０１−０４）に前記で代入表記された階数数値データを読み込み、その数値を基に必要な入力項目を生成し、（Ｓ１０１−０４）で表示された建築物詳細設定入力画面に代入表記する。（Ｓ１０１−０６）
【００３６】
次いで、電子台紙生成ステップ（Ｓ１０２）では、図３で示すように、前記（Ｓ１０１−０６）で代入表記された建築物詳細設定入力画面に必要な情報を入力する。（Ｓ１０２−０１）
【００３７】
（Ｓ１０２−０１）で入力が終わったら建築物詳細設定入力画面にあるフォルダ作成釦（Ｓ１０２−０２）を押す。
【００３８】
フォルダ作成釦（Ｓ１０２−０２）を押すと、指定の場所に（Ｓ１０１−０６）と（Ｓ１０２−０１）で建築物詳細設定画面に代入表記されているデータを基に、格納フォルダを階層構造で生成（Ｓ１０２−０３）する。
【００３９】
（Ｓ１０２−０３）で生成された格納フォルダに（Ｓ１０２−０１）で作成されたデータを基に電子台紙を作成（Ｓ１０２−０４）する。
【００４０】
（Ｓ１０２−０１）入力された物が全て処理されたかを確認（Ｓ１０２−０５）する。
（Ｓ１０２−０５）が「Ｙｅｓ」のときは、処理を終了し、撮影編集確認リスト作成ステップ（Ｓ１０３）に移行し、「Ｎｏ」のときは（Ｓ１０２−０３）に戻り処理が終了するまで繰り返す。
【００４１】
次いで、撮影編集確認リスト作成ステップ（Ｓ１０３）では、電子台紙生成ステップ（Ｓ１０２）で作られたデータを基に、撮影編集確認リストを作成して予め指定してある箇所に保存する。
【００４２】
［工事黒板表示物作成モード（ＩＩ）］
【００４３】
工事黒板表示物作成モード（ＩＩ）は、図２に示すように、工事黒板表示物作成ステップ（Ｓ２０１）を含んで成り、工事黒板表示物作成ステップ（Ｓ２０１）は、小ステップ（Ｓ２０１−０１）と、（Ｓ２０１−０２）と、（Ｓ２０１−０３）と、（Ｓ２０１−０４）を含んで成る。
【００４４】
工事写真画像データ保存モード（ＩＩＩ）を除く、全てのモードは制御手段（Ｍ７）を起動し、そのステップ制御ステップ（Ｓ０００）を経由して実行する。
工事黒板表示物作成モード（ＩＩ）を実行するために前記した制御ステップ（Ｓ０００）を実行し、（Ｓ０００−０２）にて工事黒板表示物作成モード（ＩＩ）を選択入力する。
【００４５】
前記、（Ｓ０００−０２）から選択入力されると、先ず、図３に示すように、撮影編集確認リスト作成ステップ（Ｓ１０３）で作成された撮影編集確認リストを読み込み、その結果を表示（Ｓ２０１−０１）する。（Ｓ２０１−０１）で「Ｙｅｓ」は、工事黒板表示物を作成出力する範囲を設定するために選択決定を行うことであり、「Ｎｏ」は、終了釦を押すことである。
【００４６】
（Ｓ２０１−０２）では（Ｓ２０１−０１）で「Ｙｅｓ」を選択されたときに表示された画面上に工事黒板表示物に必要な情報、即ち、鉄筋構成を入力する。
【００４７】
（Ｓ２０１−０３）とは（Ｓ２０１−０２）で入力した後に、同一画面上にある鉄筋工事黒板作成釦を押すことである。
【００４８】
（Ｓ２０１−０３）を実行すると、（Ｓ２０１−０４）が実行され、前記（Ｓ２０１−０２）で作成された情報を基に、前記（Ｓ１０２−０３）で生成された格納フォルダの指定した場所に工事黒板表示物を作成して保存する。処理が全て完了すると終了する。
【００４９】
［工事写真画像データ保存モード（ＩＩＩ）］
【００５０】
工事写真画像データ保存モード（ＩＩＩ）は、図２に示すように、写真データ取り込みステップ（Ｓ３０１）と、写真識別データ入力ステップ（Ｓ３０２）と、写真識別インデックス付与ステップ（Ｓ３０３）を含んで成る。
【００５１】
工事写真画像データ保存モード（ＩＩＩ）を除く、全てのモードは制御手段（Ｍ７）を起動し、そのステップ制御ステップ（Ｓ０００）を経由して実行する。
工事写真画像データ保存モード（ＩＩＩ）では、先ず、写真データ取り込みステップ（Ｓ３０１）を行い、外部デジタルカメラより施工箇所を撮影対象として撮影した工事写真画像データを取り込む。
【００５２】
次いで、写真識別データ入力ステップ（Ｓ３０２）では、写真データ取り込みステップ（Ｓ３０１）で取り込んだ工事写真画像データに付与されている写真識別データを基に、写真識別データを付与していく。
【００５３】
次いで、写真識別インデックス付与ステップ（Ｓ３０３）では、前記、写真識別データ入力ステップ（Ｓ３０２）で付与された写真識別データを基に、写真データ取り込みステップ（Ｓ３０１）で取り込まれた工事写真画像データに写真識別インデックスを付与し、その工事写真画像データを保存する。
【００５４】
［工事写真データベース構築モード（ＩＶ）］
【００５５】
工事写真データベース構築モード（ＩＶ）は、図２に示すように、写真データ取り込みステップ（Ｓ４０１）と、データベース構築ステップを含んで成っており、写真データ取り込みステップ（Ｓ４０１）は、小ステップ（Ｓ４０１−０１）と、（Ｓ４０１−０２）と、（Ｓ４０１−０３）と、（Ｓ４０１−０４）を含んで成り、データベース構築ステップは、小ステップ（Ｓ４０２−０１）と、（Ｓ４０２−０２）と、（Ｓ４０２−０３）と、（Ｓ４０２−０４）と、（Ｓ４０２−０５を含んで成る。
【００５６】
工事写真画像データ保存モード（ＩＩＩ）を除く、全てのモードは制御手段（Ｍ７）を起動し、そのステップ制御ステップ（Ｓ０００）を経由して実行する。
工事写真データベース構築モード（ＩＶ）の写真データ取り込みステップ（Ｓ４０１）を実行するために前記した制御ステップ（Ｓ０００）を実行し、（Ｓ０００−０２）にて写真データ取り込みステップ（Ｓ４０１）を選択入力する。
【００５７】
前記、（Ｓ０００−０２）から選択入力されると、先ず、図４に示すように、所定の場所直下に工事写真画像データが存在するか否かを確認（Ｓ４０１−０１）をする。
（Ｓ４０１−０１）で「Ｙｅｓ」は、所定の場所直下に工事写真画像データが存在するときであり、（Ｓ４０１−０２）を実行し、「Ｎｏ」は、所定の場所直下に工事写真画像データが存在しないときであり、処理を終了する。
【００５８】
（Ｓ４０１−０２）では、前記、（Ｓ４０１−０１）で存在を確認した工事写真画像データの中にあるＥｘｉｆ情報を確認する。
【００５９】
（Ｓ４０１−０３）では、前記、（Ｓ４０１−０２）にて確認したＥｘｉｆ情報から作成日の日付情報を読み込む
【００６０】
（Ｓ４０１−０４）では、前記、（Ｓ４０１−０３）で読み込みしたＥｘｉｆ情報の日付情報を基に、名称が同じ格納フォルダが存在するときを「Ｙｅｓ」とし、名称が同じ格納フォルダが存在しないときを「Ｎｏ」とする。
【００６１】
（Ｓ４０１−０５）では、前記、（Ｓ４０１−０４）にて「Ｎｏ」と成ったとき、その対象となった工事写真画像データのＥｘｉｆ情報の日付情報を読み込み、その日付情報と同じ名称を有する格納フォルダを生成する。
【００６２】
（Ｓ４０１−０６）では、前記、（Ｓ４０１−０４）や（Ｓ４０１−０５）で参照した工事写真画像データを（Ｓ４０１−０４）で存在する格納フォルダや、（Ｓ４０１−０５）で生成された格納フォルダに移動した後に（Ｓ４０１−０１）へ戻る。
【００６３】
工事写真データベース構築モード（ＩＶ）のデータベース構築ステップ（Ｓ４０２）を実行するために前記した制御ステップ（Ｓ０００）を実行し、（Ｓ０００−０２）にて写真データ取り込みステップ（Ｓ４０２）を選択入力する。
【００６４】
前記、（Ｓ０００−０２）から選択入力されると、図４に示すように、（Ｓ４０２−０１）が実行され、所定の場所を指定した状態でエクスプローラ窓が表示される。
【００６５】
次いで、（Ｓ４０２−０２）では、格納フォルダの階層構造を持つエクスプローラ窓を表示する。
【００６６】
（Ｓ４０２−０３）では、前記、（Ｓ４０２−０１）にて表示されたエクスプローラ窓に表示されている工事写真画像データを、前記、（Ｓ４０２−０２）で表示されたエクスプローラ窓に表示されている前記、工事写真画像データに該当する格納フォルダに工事写真画像データを移動する。
【００６７】
（Ｓ４０２−０４）では、前記、（Ｓ４０２−０１）にて表示されたエクスプローラ窓の閉じる釦を押し、エクスプローラ窓を閉じる。
【００６８】
（Ｓ４０２−０５）では、前記、（Ｓ４０２−０２）にて表示されたエクスプローラ窓の閉じる釦を押し、エクスプローラ窓を閉じる。
【００６９】
［工事写真データベース検索モード（Ｖ）］
【００７０】
工事写真データベース検索モード（Ｖ）は、図２に示すように、施工識別検索ステップ（Ｓ５０１）と、写真識別検索ステップ（Ｓ５０２）を含んで成っており、施工識別検索ステップ（Ｓ５０１）は、小ステップ（Ｓ５０１−０１）と、（Ｓ５０１−０２）と、（Ｓ５０１−０３）と、（Ｓ５０１−０４）と、（Ｓ５０１−０５）を含んで成り、写真識別検索ステップ（Ｓ５０２）は、小ステップ（Ｓ５０２−０１）と、（Ｓ５０２−０２）と、（Ｓ５０２−０３）と、（Ｓ５０２−０４）と、（Ｓ５０２−０５）と、（Ｓ５０２−０６）と、（Ｓ５０２−０７）と、（Ｓ５０２−０８）を含んで成る。
【００７１】
工事写真画像データ保存モード（ＩＩＩ）を除く、全てのモードは制御手段（Ｍ７）を起動し、そのステップ制御ステップ（Ｓ０００）を経由して実行する。
工事写真データベース検索モード（Ｖ）を実行するために前記した制御ステップ（Ｓ０００）を実行し、（Ｓ０００−０２）にて工事写真データベース検索モード（Ｖ）を選択入力する。
【００７２】
前記、（Ｓ０００−０２）から選択入力されると、先ず、図５に示すように、施工識別検索ステップ（Ｓ５０１）の（Ｓ５０１−０１）が実行され編集箇所選択階層構造画面が表示される。
【００７３】
（Ｓ５０１−０２）では、（Ｓ５０１−０１）にて表示された編集箇所選択階層構造画面に存在する終了釦を確認し、「Ｙｅｓ」は、終了釦を押したときで、処理を終了し、「Ｎｏ」は、終了釦を押さないときで、編集箇所選択階層構造画面を表示した状態で次操作を待機する。
【００７４】
（Ｓ５０１−０３）では、前記、（Ｓ５０１−０１）で表示された編集箇所選択階層構造画面にて、編集をするべき箇所を選択指定する。
【００７５】
（Ｓ５０１−０４）では、前記、（Ｓ５０１−０３）にて選択されたフォルダ名称に対応する格納フォルダ内部に、前記、（Ｓ１０２−０２）で作成された電子アルバム台紙が存在するかを確認し、「Ｙｅｓ」は、存在するときで、その電子アルバム台紙の箇所を読み込み、「Ｎｏ」は、存在しないときで、（Ｓ５０１−０３）に戻る。
【００７６】
（Ｓ５０１−０５）では、前記、（Ｓ５０１−０４）で「Ｙｅｓ」のときに読み込まれた箇所にある電子アルバム台紙編集設定画面を起動する。
【００７７】
次に、実行される写真識別検索ステップ（Ｓ５０２）の（Ｓ５０２−０１）では、前記、（Ｓ５０１−０５）にて起動された電子アルバム台紙編集設定画面を表示する。
【００７８】
（Ｓ５０２−０２）では、前記、（５０２−０１）で表示された電子アルバム台紙編集設定画面が格納されている同格納フォルダ内に格納されている工事写真画像データを確認し、「Ｙｅｓ」は、工事写真画像データが存在しているときで、（Ｓ５０２−０３）に移行し、「Ｎｏ」は、工事写真画像データが存在していないときで、その旨を表示して、前記、（Ｓ５０１−０３）に戻る旨を知らせ、戻る。
【００７９】
（Ｓ５０２−０３）では、前記、（Ｓ５０２−０２）にて確認された工事写真画像データの写真識別データを（Ｓ５０２−０１）にて表示された電子アルバム台紙編集設定画面内にあるフォルダ内工事写真画像データリストに表示する。
【００８０】
（Ｓ５０２−０４）では、前記、（Ｓ５０２−０３）にて表示されたフォルダ内工事写真画像データリストを選択し、「Ｙｅｓ」は、選択した工事写真画像データを次のアルバム編集モード（ＶI）に使用するために移行し、「Ｎｏ」は、選択した工事写真画像データを（Ｓ５０２−０５）に移行するために選択状態で待機する。
【００８１】
（Ｓ５０２−０５）では、前記、（Ｓ５０２−０１）にて表示された電子アルバム台紙編集設定画面内にある比較用窓釦を押し、（Ｓ５０２−０６）に移行する。
【００８２】
（Ｓ５０２−０６）では、前記、（Ｓ５０２−０４）にて選択された工事写真画像データを所定の大きさにリサイズされた状態で専用の窓を別に表示する。
【００８３】
（Ｓ５０２−０７）では、前記、（Ｓ５０２−０６）にて表示された窓にある閉じる釦を確認し、「Ｙｅｓ」は、比較用窓の閉じる釦を押した状態で、（Ｓ５０２−０８）に移行し、「Ｎｏ」は、比較用窓の閉じる釦を押していない状態で、前記、（Ｓ５０２−０６）にて表示されている窓を保持したまま（Ｓ５０２−０１）に移行する。
【００８４】
（Ｓ５０２−０８）では、前記、（Ｓ５０２−０６）にて表示された比較用窓を閉じる。
【００８５】
［アルバム編集モード（ＶI）］
【００８６】
アルバム編集モード（ＶI）は、検索ステップ（Ｓ６０１）と、転送ステップ（Ｓ６０２）と、編集ステップ（Ｓ６０３）と、保存ステップ（Ｓ６０４）を含んで成り、検索ステップ（Ｓ６０１）は、小ステップ（Ｓ６０１−０１）と、（Ｓ６０１−０２）と、（Ｓ６０１−３）を含んで成り、転送ステップ（Ｓ６０２）は、小ステップ（Ｓ６０２−０１）と、（Ｓ６０２−０２）と、（Ｓ６０２−０３）と、（Ｓ６０２−０４）と、（Ｓ６０２−０５）と、（Ｓ６０２−０６）を含んで成り、編集ステップ（Ｓ６０３）は、小ステップ（Ｓ６０３−０１）と、（Ｓ６０３−０２）と、（Ｓ６０３−０３）を含んで成り、保存ステップ（Ｓ６０４）は、小ステップ（Ｓ６０４−０１）と、（Ｓ６０４−０２）を含んで成る。
【００８７】
工事写真画像データ保存モード（ＩＩＩ）を除く、全てのモードは制御手段（Ｍ７）を起動し、そのステップ制御ステップ（Ｓ０００）を経由して実行する。
前記、（Ｓ５０２−０４）にて、選択されたフォルダ内工事写真画像データリストを図６に示すように、検索ステップ（Ｓ６０１）の（Ｓ６０１−０１）を実行するとアルバム編集モード（ＶI）に移行し、（Ｓ６０１−０１）では、フォルダ内工事写真画像データリストより、ドラッグ＆ドロップにて貼付リストに工事写真画像データ名称を移動する。
【００８８】
（Ｓ６０１−０２）では、前記、（Ｓ６０１−０１）にて移動された工事写真画像データ名称を貼付リストに登録する。
【００８９】
（Ｓ６０１−０３）では、前記、（Ｓ６０１−０２）にて登録された貼付リストを確認し、「Ｙｅｓ」は、貼付リスト内に必要な工事写真画像データ名称が全て揃っている状態で、転送ステップ（Ｓ６０２）の（Ｓ６０２−０１）に移行し、「Ｎｏ」は、貼付リスト内に必要な工事写真画像データ名称が全て揃っていない状態で、図５に示す（Ｓ５０２−０４）に移行する。
【００９０】
次いで、転送ステップ（Ｓ６０２）の（Ｓ６０２−０１）では、前記、（Ｓ５０２−０１）にて表示されている電子アルバム台紙編集設定画面にある自動貼付釦を押す。
【００９１】
（Ｓ６０２−０２）では、前記、（Ｓ６０１−０２）にて登録された工事写真画像データの処理状況を確認し、「Ｙｅｓ」は、工事写真画像データが全て処理されていない状態で、（Ｓ６０２−０３）に移行し、「Ｎｏ」は、工事写真画像データが全て処理された状態で、保存ステップ（Ｓ６０４）の（Ｓ６０４−０１）に移行する。
【００９２】
（Ｓ６０２−０３）では、前記、（Ｓ６０１−０２）で登録された工事写真画像データ名称を選択されている一つを所定の場所に記録する。
【００９３】
（Ｓ６０２−０４）では、前記、（Ｓ６０２−０３）にて記録された工事写真画像データ名称を基に工事写真画像データを所定の場所に一度コピーして画像サイズを指定したサイズにリサイズする。
【００９４】
（Ｓ６０２−０５）では、前記、電子台紙生成ステップ（Ｓ１０２）にて作成した階層構造格納フォルダや、工事黒板表示物作成ステップ（Ｓ２０１）にて作成された工事黒板表示物データ等を基にして、工事写真データ説明文を電子アルバム台紙雛形に説明文記入欄に挿入する。
【００９５】
（Ｓ６０２−０６）では、前記、（Ｓ６０２−０５）を使った電子アルバム台紙雛形を基にし、工事写真画像データ貼付領域を作成する。
【００９６】
次いで、編集ステップ（Ｓ６０３）の（Ｓ６０３−０１）では、前記、（Ｓ６０２−０６）にて作成された工事写真画像データ貼付領域に、前記、（Ｓ６０２−０４）にて生成されたリサイズコピーされた工事写真画像データを貼付する。
【００９７】
（Ｓ６０３−０２）では、前記、（Ｓ６０２−０４）にて作成された工事写真画像データをコピーリサイズしたものを消去する。
【００９８】
（Ｓ６０３−０３）では、貼付リストに登録されている工事写真画像データ名称を現在選択されているものから一つ下の工事写真画像データ名称に移行し、前記、（Ｓ６０２−０２）に戻る。
【００９９】
保存ステップ（Ｓ６０４）の（Ｓ６０４−０１）では、前記、（Ｓ６０１）と、（Ｓ６０２）と、（Ｓ６０３）にて作成された電子アルバム台紙を編集結果として表示する。
【０１００】
（Ｓ６０４−０２）では、前記、（Ｓ６０４−０１）で表示された編集結果窓にある閉じる釦を押す事により、図５に示すように、（Ｓ５０１−０１）に移行する。
【０１０１】
［工事写真貼付忘れ確認モード（ＶＩＩ）］
【０１０２】
工事写真貼付忘れ確認モード（ＶＩＩ）は、図２に示すように、貼付確認ステップ（Ｓ７０１）と通知ステップ（Ｓ７０２）を含んで成り、貼付確認ステップ（Ｓ７０１）は、小ステップ（Ｓ７０１−０１）と、（Ｓ７０１−０２）と、（Ｓ７０１−０３）と、（Ｓ７０１−０４）と、（Ｓ７０１−０５）と、（Ｓ７０１−０６）と、（Ｓ７０１−０７）を含んで成り、通知ステップ（Ｓ７０２）は、小ステップ（Ｓ７０２−０１）と、（Ｓ７０２−０２）と、（Ｓ７０２−０３）と、（Ｓ７０２−０４）と、（Ｓ７０２−０５）と、（Ｓ７０２−０６）と、（Ｓ７０２−０７）を含んで成る。
【０１０３】
工事写真画像データ保存モード（ＩＩＩ）を除く、全てのモードは制御手段（Ｍ７）を起動し、そのステップ制御ステップ（Ｓ０００）を経由して実行する。
工事写真貼付忘れ確認モード（ＶＩＩ）を実行するために前記した制御ステップ（Ｓ０００）を実行し、（Ｓ０００−０２）にて工事写真貼付忘れ確認モード（ＶＩＩ）を選択入力する。
【０１０４】
前記、（Ｓ０００−０２）から選択入力されると、先ず、図５に示すように、貼付確認ステップ（Ｓ７０１）の（Ｓ７０１−０１）が実行され、工事写真データアルバム編集確認画面が表示される。
【０１０５】
（Ｓ７０１−０２）では、前記、（Ｓ７０１−０１）にて表示されている工事写真データアルバム編集確認画面にて確認したい建築物名称を選択する。
【０１０６】
（Ｓ７０１−０３）では、前記、（Ｓ１０３）にて作成された撮影編集確認リストから（Ｓ７０１−０２）にて選択された建築物名称に応じたリストを表示する。
【０１０７】
図７で示す（Ｓ７０１−０４）では、前記、（Ｓ７０１−０３）にて表示された撮影編集確認リストに存在するファイルチェック釦を押す。
【０１０８】
（Ｓ７０１−０５）では、前記、（Ｓ７０１−０３）にて表示された撮影編集確認リストを一行記憶する。
【０１０９】
（Ｓ７０１−０６）では、前記、（Ｓ７０１−０５）にて記憶されたリストを基に、格納フォルダにある工事写真画像データの数量を確認する。
【０１１０】
（Ｓ７０１−０７）では、前記、（Ｓ７０１−０６）にて確認した工事写真画像データの数量を、前記、（Ｓ７０１−０３）にて表示された撮影編集確認リスト内にある（Ｓ７０１−０５）にて記憶された行の工事写真データ数表記欄に表記する。
【０１１１】
（Ｓ７０１−０８）では、前記、（Ｓ７０１−０５）にて記憶したリストを基に、その格納フォルダ内にある電子アルバム台紙のファイルサイズを確認し、通知ステップ（Ｓ７０２）の（Ｓ７０２−０１）に移行する。
【０１１２】
通知ステップ（Ｓ７０２）の（Ｓ７０２−０１）では、前記、（Ｓ７０１−０８）にて確認したファイルサイズを読み、「Ｙｅｓ」は、ファイルサイズが前記、（Ｓ１０２−０３）にて作成された電子台紙の初期数値より大きいときで、（Ｓ７０２−０２）に移行し、「Ｎｏ」は、ファイルサイズが前記、（Ｓ１０２−０３）にて作成された電子台紙の初期数値と等しいときで、（Ｓ７０２−０５）に移行する。
【０１１３】
（Ｓ７０２−０２）では、前記、（Ｓ７０１−０７）にて表記された工事写真データ数を確認し、「Ｙｅｓ」は、表記が０のときで、（Ｓ７０２−０３）に移行し、「Ｎｏ」は、表記が０ではないときで、（Ｓ７０２−０４）に移行する。
【０１１４】
（Ｓ７０２−０３）では、前記、（Ｓ７０１−０３）にて表示された撮影編集確認リスト内にある（Ｓ７０１−０５）にて記憶された行の編集確認欄に赤色のフォントにて「写真無し」と表記する。
【０１１５】
（Ｓ７０２−０４）では、前記、（Ｓ７０１−０３）にて表示された撮影編集確認リスト内にある（Ｓ７０１−０５）にて記憶された行の編集確認欄に橙色のフォントにて「未編集」と表記する。
【０１１６】
（Ｓ７０２−０５）では、前記、（Ｓ７０１−０３）にて表示された撮影編集確認リスト内にある（Ｓ７０１−０５）にて記憶された行の編集確認欄に青色のフォントにて「編集済」と表記する。
【０１１７】
（Ｓ７０２−０６）では、前記、（Ｓ７０１−０３）にて表示された撮影編集確認リスト内にある（Ｓ７０１−０５）にて記憶された行を一行移行する。
【０１１８】
（Ｓ７０２−０７）では、前記、（Ｓ７０２−０６）で移行された行を確認し、「Ｙｅｓ」は、移行した行に情報が存在するときで、（Ｓ７０１−０５）に戻り、「Ｎｏ」は、移行した行に情報が存在しないときで、図５に示す（Ｓ７０１−０３）に移行する。
【０１１９】
［電子アルバム出力モード（ＶＩＩＩ）］
【０１２０】
電子アルバム出力モード（ＶＩＩＩ）は、出力範囲選択ステップ（Ｓ８０１）と、出力範囲出力ステップ（Ｓ８０２）を含んで成り、出力範囲選択ステップは、小ステップ（Ｓ８０１−０１）と、（Ｓ８０１−０２）と、（Ｓ８０１−０３）と、（Ｓ８０１−０４）と、（Ｓ８０１−０５）と、（Ｓ８０１−０６）と、（Ｓ８０１−０７）と、（８０１−０８）を含んで成り、出力範囲出力ステップ（Ｓ８０２）は、小ステップ（Ｓ８０２−０１）と、（Ｓ８０２−０２）と、（Ｓ８０２−０３）と、（Ｓ８０２−０４）と、（Ｓ８０２−０５）を含んで成る。
【０１２１】
工事写真画像データ保存モード（ＩＩＩ）を除く、全てのモードは制御手段（Ｍ７）を起動し、そのステップ制御ステップ（Ｓ０００）を経由して実行する。
電子アルバム出力モード（ＶＩＩＩ）を実行するために前記した制御ステップ（Ｓ０００）を実行し、（Ｓ０００−０２）にて電子アルバム出力モード（ＶＩＩＩ）を選択入力する。
【０１２２】
前記、（Ｓ０００−０２）から選択入力されると、先ず、図８に示すように、出力範囲選択ステップ（Ｓ８０１）の（Ｓ８０１−０１）が実行される。
【０１２３】
（Ｓ８０１−０１）では、前記、（Ｓ１０３）にて作成された撮影編集確認リストを確認し読み込む
【０１２４】
（Ｓ８０１−０２）では、出力範囲選択画面を表示する。
【０１２５】
（Ｓ８０１−０３）では、前記、（Ｓ８０１−０１）にて読み込んだ情報を基に、出力範囲選択肢を生成し読み込む
【０１２６】
（Ｓ８０１−０４）では、前記、（Ｓ８０１−０２）にて表示された出力範囲選択画面に、（Ｓ８０１−０３）にて読み込んだ出力範囲選択肢を基に、出力範囲を選択する。
【０１２７】
（Ｓ８０１−０５）では、前記、（Ｓ８０１−０２）にて表示された出力範囲選択画面に存在する印刷出力釦を押す。
【０１２８】
（Ｓ８０１−０６）では、前記、（８０１−０４）にて選択された出力範囲を基にし、（Ｓ１０３）にて作成された撮影編集確認リストを参照し、その表記状況を確認する。（Ｓ８０１−０６）にて、「Ｙｅｓ」は、参照した行に情報が存在するときで、（Ｓ８０１−０７）に移行し、「Ｎｏ」は、参照した行に情報が存在しないときで、出力範囲出力ステップ（Ｓ８０２）の（Ｓ８０２−０１）に移行する。
【０１２９】
（Ｓ８０１−０７）では、前記、（Ｓ８０１−０６）にて存在する行の情報を取得し、印刷一覧リストにその情報を記入する。
【０１３０】
（Ｓ８０１−０８）では、前記、（Ｓ８０１−０７）にて取得した行より一つ下の行に選択指定箇所を移行して（Ｓ８０１−０６）に戻る。
【０１３１】
出力範囲出力ステップ（Ｓ８０２）の（Ｓ８０２−０１）では、前記、（Ｓ８０１−０７）にて作成された印刷一覧リストを確認する。
【０１３２】
（Ｓ８０２−０２）では、前記、（Ｓ８０２−０１）にて確認された印刷一覧リストの一行の表記状況を確認し、「Ｙｅｓ」は、情報が存在するときで、（Ｓ８０２−０３）に移行し、「Ｎｏ」は、情報が存在しないときで、終了する。
【０１３３】
（Ｓ８０２−０３）では、前記、（Ｓ８０２−０２）にて確認した表記されている情報と、（Ｓ７０２）にて通知された情報を基にし、確認し、「Ｙｅｓ」は、（Ｓ７０２−０５）を実行した状況で、（Ｓ８０２−０４）に移行し、「Ｎｏ」は、（Ｓ７０２−０５）実行していない状況で、（Ｓ８０２−０５）に移行する。
【０１３４】
（Ｓ８０２−０４）では、前記、（Ｓ８０２−０３）にて確認された情報を基にし、その情報の位置にある電子アルバム台紙を出力する。
【０１３５】
（Ｓ８０２−０５）では、前記、（Ｓ８０２−０２）にて確認した行から一行移行して（Ｓ８０２−０２）に戻る。
【図面の簡単な説明】
【０１３６】
【図１】本発明の実施の形態における工事写真アルバム作成システムを構成する機能ブロック図である。
【図２】本発明にかかる工事写真アルバム作成システムの全体の構成を示すブロック図である。
【図３】本発明の工事写真アルバム作成システムの処理手順を示すフローチャートである。
【図４】本発明の工事写真アルバム作成システムの処理手順を示すフローチャートである。
【図５】本発明の工事写真アルバム作成システムの処理手順を示すフローチャートである。
【図６】本発明の工事写真アルバム作成システムの処理手順を示すフローチャートである。
【図７】本発明の工事写真アルバム作成システムの処理手順を示すフローチャートである。
【図８】本発明の工事写真アルバム作成システムの処理手順を示すフローチャートである。
【符号の説明】
【０１３７】
Ｍ１  電子アルバム作成保存手段
Ｍ２  工事写真画像データ保存手段
Ｍ３  工事写真データベース構築保存手段
Ｍ４  工事写真検索抽出手段
Ｍ５  電子アルバム編集保存手段
Ｍ６  電子アルバム出力手段
Ｍ７  制御手段
Ｉ        電子アルバム台紙作成モード
ＩＩ      工事黒板表示物作成モード
ＩＩＩ    工事写真画像データ保存モード
ＩＶ      工事写真データベース構築モード
Ｖ        工事写真データベース検索モード
ＶＩ      アルバム編集モード
ＶＩＩ    工事写真貼付忘れ確認モード
ＶＩＩＩ  電子アルバム出力モード
【図１】
2011065321.tif 000003
【図２】
2011065321.tif 000004
【図３】
2011065321.tif 000005
【図４】
2011065321.tif 000006
【図５】
2011065321.tif 000007
【図６】
2011065321.tif 000008
【図７】
2011065321.tif 000009
【図８】
2011065321.tif 000010